(57)【特許請求の範囲】
【請求項１】
２つの長手側面及び２つの短手側面を有するピンチシール部（１０）を備えたガラス球（１）と、
口金シェル（３）及びこの口金シェル（３）に固定された金属製ホルダー部材（２）を有し、このホルダー部材（２）が空所（２０）を持ち、この空所（２０）内にピンチシール部（１０）が挿入される口金と、
ホルダー部材（２）に一体成形されピンチシール部（１０）に当接して締付ける支持舌片（２１ａ、２１ｂ、２２ａ、２２ｂ、２３ａ、２３ｂ）と
を備えた接合剤なしで口金を取付けられたハロゲン電球において、
ピンチシール部（１０）の厚みは口金方向に向かって縮小され、
ホルダー部材（２）に一体成形されてピンチシール部（１０）に作用する全支持舌片（２１ａ、２１ｂ、２２ａ、２２ｂ、２３ａ、２３ｂ）はピンチシール部（１０）の長手側面に向けられ、
ピンチシール部（１０）の短手側面はホルダー部材（２）に対して間隔をもって空所（２０）内に配置され、
ピンチシール部（１０）の長手側面は口金方向に向かって短手側面に平行に延びる一体成形されたガイド条帯（５０ａ、５０ｂ）をそれぞれ備えており、
ホルダー部材（２）に一体成形されそれぞれピンチシール部（１０）の１つの長手側面に当接して締付ける２個の支持舌片（２１ａ、２１ｂ）は各ガイド条帯（５０ａ、５０ｂ）にぴったり整合する切欠（２４ａ、２４ｂ）を備えていることを特徴とする接合剤なしで口金を取付けられたハロゲン電球。
【請求項２】
ピンチシール部（１０）の長手側面は支持舌片（２１ａ、２１ｂ）の自由端部と共に、ピンチシール部（１０）からのホルダー部材（２）の引抜きを阻止するロック装置を形成する鼻状隆起部（５１ａ、５１ｂ、５２ａ、５２ｂ）をそれぞれ備えていることを特徴とする請求項１記載の接合剤なしで口金を取付けられたハロゲン電球。
【請求項３】
ピンチシール部（１０）の長手側面はホルダー部材（２）上に載る一体成形された深さストッパー（５３ａ、５３ｂ、５４ａ、５４ｂ）を備えていることを特徴とする請求項１記載の接合剤なしで口金を取付けられたハロゲン電球。
【請求項４】
ホルダー部材（２）はピンチシール部（１０）の両長手側面と共にそれぞれ少なくとも４個の支持点を形成する６個の支持舌片（２１ａ、２１ｂ、２２ａ、２２ｂ、２３ａ、２３ｂ）を有することを特徴とする請求項１記載の接合剤なしで口金を取付けられたハロゲン電球。
【請求項５】
深さストッパー（５３ａ、５３ｂ、５４ａ、５４ｂ）は４個の支持舌片（２２ａ、２２ｂ、２３ａ、２３ｂ）上に載ることを特徴とする請求項３又は４記載の接合剤なしで口金を取付けられたハロゲン電球。
【請求項６】
ホルダー部材（２）は高級鋼から構成されていることを特徴とする請求項１記載の接合剤なしで口金を取付けられたハロゲン電球。
【発明の詳細な説明】
本発明は、２つの長手側面及び２つの短手側面を有するピンチシール部を備えたガラス球と、口金シェル及びこの口金シェルに固定された金属製ホルダー部材を有し、このホルダー部材が空所を持ち、この空所内にピンチシール部が挿入される口金と、ホルダー部材に一体成形されピンチシール部に当接して締付ける支持舌片とを備えた接合剤なしで口金を取付けられたハロゲン電球に関する。
この種の電球は例えば米国特許第４４９２８９３号明細書に開示されている。そこに述べられている電球においては、自動車用前照灯で使用するための接合剤なしで口金を取付けられたハロゲン電球が問題になっている。この電球は２つの長手側面及び２つの短手側面を有するピンチシール部を持ったガラス球を備え、ピンチシール部は口金に所属するホルダー部材の空所内に締付け固定されている。ホルダー部材内におけるピンチ部の固定はピンチシール部の長手側面ならびに短手側面に作用する複数の固定又は支持舌片によって行われる。ピンチシール部の厚みはその全長に亘って一様であるので、ピンチシール部の長手側面に当接して締付ける支持舌片は、電球に口金を取付ける際ピンチシール部にガラス破損を生ぜしめ得る程の強い圧力をピンチシール部にかける。ピンチシール部の短手側面に作用する支持舌片は、その支持面が比較的小さくかつ短手側面への押圧力が強いために、ピンチシール部の割れをも惹き起こす可能性がある。
本発明の課題は、電球に口金を取付ける間ピンチシール部の損傷のリスクが相当減少するような接合剤なしで口金を取付けられたハロゲン電球を提供することにある。
この課題は、本発明によれば、ピンチシール部の厚みは口金方向に向かって縮小され、ホルダー部材に一体成形されてピンチシール部に作用する全支持舌片はピンチシール部の長手側面に向けられ、ピンチシール部の短手側面はホルダー部材に対して間隔をもって空所内に配置され、ピンチシール部の長手側面は口金方向に向かって短手側面に平行に延びる一体成形されたガイド条帯をそれぞれ備えており、ホルダー部材に一体成形されそれぞれピンチシール部の１つの長手側面に当接して締付ける２個の支持舌片は各ガイド条帯にぴったり整合する切欠を備えていることによって解決される。本発明の特に有利な構成は請求項２以降に記載されている。
本発明によるハロゲン電球は口金の構成部品である金属製ホルダー部材によって支持される。このホルダー部材は打抜き部を有しており、この打抜き部内に、ガラス球の２つの長手側面及び２つの短手側面を有するピンチシール部が支持舌片によって締付け固定されている。この支持舌片はホルダー部材に一体成形されており、断面がほぼ長方形状をしたピンチシール部の長手側面に全部が作用し、一方ピンチシール部の短手側面はホルダー部材の空所内に非接触で配置されている。これによって、ピンチシール部幅の公差は支持力の大きさ内に入らなくなる。さらに、ガラス球のピンチシール部は口金方向に向かって縮小して形成される、すなわち、ピンチシール部はその口金側自由端部がその反口金側端部より小さい厚みを有する。このような措置を講ずることによって、従来技術に比較して、ホルダー部材内へ差込む際ピンチシール部の損傷の危険が少なくなる。ピンチシール部の長手側面が縦方向へ短手側面に平行に延びるガイド条帯をそれぞれ備え、このガイド条帯が長手側面に当接して締付ける２個の支持舌片の切欠にそれぞれぴったり整合するようにすることは有利である。これらの支持舌片はガイド条帯と共にホルダー部材内のピンチシール部の側部固定を可能にする。上述した支持舌片はさらに弾性的に形成される。その自由端部はピンチシール部の長手側面から突出する各２個の鼻状隆起部と共にロック装置を形成する。このロック装置は係止鼻部の背後に支持舌片を係止させるとホルダー部材からのピンチシール部の引抜きを阻止する。ホルダー部材がさらに４個の別の支持舌片を有し、これによってピンチシール部の両長手側面が支持舌片と共にそれぞれ４個の支持点を共通に有するようになることは有利である。
ガラス球はさらにピンチシール部への移行領域に、電球を取付けるとホルダー部材上に載る複数の一体成形された深さストッパーを備えている。これらの深さストッパーが４個の支持舌片上に載ってこの支持舌片に弱い圧力をかけることは有利である。深さストッパーは上述したロック装置と協力して、ホルダー部材内へのピンチシール部の遊びのない軸方向の位置固定を可能にする。本発明によるホルダー部材が高級鋼から構成され、洋銀から構成されるのではないことは有利である。その場合、ホルダー部材での環境に悪影響を与えるニッケルメッキは無くすことができる。
次に本発明を優れた実施例に基づいて詳細に説明する。
図１は優れた実施例による接合剤なしで口金を取付けられたハロゲン電球の概略側面図である。
図２はこの優れた実施例のホルダー部材の下面図である。
図３は切断面がピンチシール部の短手側面に平行に延びる優れた実施例によるハロゲン電球のピンチシール部の断面図である。
図４は図２に示されたホルダー部材の断面図である。
図５は優れた実施例によるガラス球の一部断面側面図である。
本発明による接合剤なしで口金を取り付けられたハロゲン電球において、ここで詳細に説明すべき優れた実施例に相応して、自動車用前照灯内で使用するためのハロゲン電球が取り扱われる。図１はこの電球の構成を示している。本発明によるハロゲン電球は片側を気密に挟搾された硬質ガラス製ガラス球１を有している。このガラス球１のピンチシール部１０は高級鋼から成る鉢状ホルダー部材２内に締付け固定されている。ホルダー部材２は口金シェル３及びこれに一体成形された調整円板４ならびに口金インシュレータ５と共に電球口金を形成している。ホルダー部材２は調整円板４から打抜かれて上方へ曲げられた溶接片１３を介して調整円板４に溶接されている。ガラス球１の内部には２つのフィラメント６、７が設けられており、これらのフィラメント６、７はピンチシール部１０から突出してビードガラス１１内に封着された全部で３本のリード線８を介してそれぞれ接触片９に導電結合されている。一方のフィラメント６は減光フード１２を備えている。
本発明を理解するために重要な電球部品は図２乃至図５に示されている。図２は下から見た本発明によるハロゲン電球のホルダー部材２を示す。図３及び図４はピンチシール部１０とホルダー部材２との相互関係を示す。ホルダー部材２は打抜かれた空所２０を有しており、この空所２０内にピンチシール部１０が締付け固定されている。ホルダー部材２には下方へ向けて即ち接触片９の方向へ向けて折曲げられた６個の支持舌片２１ａ、２１ｂ、２２ａ、２２ｂ、２３ａ、２３ｂが一体成形されており、これらの支持舌片は断面がほぼ長方形状をしたピンチシール部１０の長手側面に当接して締付ける。４個の支持舌片２２ａ、２２ｂ、２３ａ、２３ｂは水平に延びる区間にほぼＶ字状断面を形成する波形によって強化され、一方残りの２個の支持舌片２１ａ、２１ｂはほぼ中央に配置された切欠２４ａ、２４ｂをそれぞれ有している。これらの切欠２４ａ、２４ｂはピンチシール部１０の長手側面に一体成形されたガイド条帯５０ａ、５０ｂのそれぞれにぴったり整合する。これらのガイド条帯５０ａ、５０ｂは縦方向へ即ちピンチシール部１０の短手側面に平行に延びており、ピンチシール部１０の長手側面のほぼ中央に配置されている。ガイド条帯５０ａ、５０ｂの両側にはピンチシール部１０に同様に一体成形された鼻状隆起部５１ａ、５２ａ、５１ｂ、５２ｂがそれぞれ設けられている。これらの鼻状隆起部５１ａ、５２ａ、５１ｂ、５２ｂの上側縁部は支持舌片２１ａ、２１ｂの自由端部と共にロック装置を形成する。ピンチシール部１０は下方へ向けて即ち口金方向へ向けて段状に縮小されている。ピンチシール部１０の厚みは鼻状隆起部５１ａ、５２ａ、５１ｂ、５２ｂの下方では約３．４ｍｍ、鼻状隆起部５１ａ、５２ａ、５１ｂ、５２ｂの上方では約３．８ｍｍである。ピンチシール部１０の短手側面はホルダー部材２の空所２０の円形に湾曲した縁部２５によって非接触で包囲される。ピンチシール部１０はさらに、ガラス球１への移行領域においてピンチシール部１０の長手側面に一体成形された４個の深さストッパ５３ａ、５４ａ、５３ｂ、５４ｂを備えている。これらの深さストッパ５３ａ、５４ａ、５３ｂ、５４ｂは取付け後に支持舌片２２ａ、２２ｂ、２３ａ、２３ｂ上に載せられ、これらの支持舌片２２ａ、２２ｂ、２３ａ、２３ｂはそれらの波形強化部のためホルダー部材２の蓋面から突出する。
【図１】
0003678751.tif 000002
【図２】
0003678751.tif 000003
【図３】
0003678751.tif 000004
【図４】
0003678751.tif 000005
【図５】
0003678751.tif 000006